(57)【要約】【課題】複雑な機構部を設けず、簡単に且つ確実に撮像カメラ部の撮影方向の調整が行える画像装置を提供することにある。【解決手段】カメラブロックＡの可動カバー４６は片側の下面部に、保護カバー４５の前端開口縁を基準線Ｘとしこの基準線Ｘが重なることで、そのときの可動カバー４６の回動角度、つまり撮像カメラ部の俯角を示す目盛り６８を複数の回動角度に対応付けて印刷したシール６７を貼り付けてある。【解決手段】【選択図】図１
2006050452.tif 000002
【特許請求の範囲】
【請求項１】
天井等の造営物に一面側が取り付けられる隠蔽用ボディとこの隠蔽用ボディの他面側開口部に着脱自在に被着される透光性カバーとからなる本体と、
前記隠蔽用ボディ内に配設された固定部と、
前記透光性カバー側にレンズ部が臨むように撮像カメラ部を保持するとともに、該撮像カメラ部の撮像方向を変位可能なように前記固定部に連結される可動部とを備えた画像装置において、
前記可動部には前記撮像カメラ部の撮像方向の角度を調整するための角度表示部を設けるとともに、前記固定部に角度表示部を合わせる基準となる基準部を設け、前記角度表示部と前記基準部とを設けた位置を透光性カバー側に臨む位置としたことを特徴とする画像装置。
【請求項２】
前記基準部は、前記可動部の背面に位置して前記固定部の一部を為す保護カバーの端縁からなることを特徴とする請求項１記載の画像装置。
【請求項３】
前記可動部は、手動によって変位可能で且つ変位位置を維持するように前記固定部に連結されるとともに、手動操作用の把持部を設けていることを特徴とする請求項１又は２記載の画像装置。
【請求項４】
前記撮像カメラ部のレンズ部を臨ませる可動部の部位の左右両側壁部により前記把持部を構成し、前記両側壁部の外面に滑り止めのローレット部を形成していることを特徴とする請求項３に記載の画像装置。
【請求項５】
前記角度表示部は、前記撮像カメラ部の俯角に対応し且つ設置現場の床面から天井までの高さを示す目盛りから成ることを特徴とする請求項１乃至４の何れか記載の画像装置。
【発明の詳細な説明】
【技術分野】
【０００１】
本発明は、監視センサやモニタカメラに用いる画像装置に関するものである。
【背景技術】
【０００２】
従来防犯等に用いられるカメラ装置には、天井等の高所の造営物に取り付けられたベース（台座部）と、撮像カメラ部を保持し、ベースに対して着脱自在に取り付ける本体（カメラホルダ）とで構成され、本体下部に被着したドーム状の透光性のカバーを介して所定のエリアを撮像カメラ部により撮像するカメラ装置がある（例えば特許文献１）。
【０００３】
この種のカメラ装置は一定の検知（監視）エリアを確保するために、特許文献１に記載されたカメラ装置のように、操作部と連動するカム機構とを用いて外部から撮影方向（俯角）の調整を行うようになっていた。
【特許文献１】特開２００１−４２３９３号公報（段落番号００２３〜００２６）
【発明の開示】
【発明が解決しようとする課題】
【０００４】
上述した特許文献１に示されているカメラ装置のように操作部と連動するカム機構を用いて構成では、構成が複雑となり、コスト高や、大型化が避けられなかった。
【０００５】
本発明は、上述の点に鑑みて為されたもので、その目的とするところは複雑な機構部を設けず、簡単に且つ確実に撮像カメラ部の撮影方向の調整が行える画像装置を提供することにある。
【課題を解決するための手段】
【０００６】
上述の目的を達成するために、請求項１の発明では、天井等の造営物に一面側が取り付けられる隠蔽用ボディとこの隠蔽用ボディの他面側開口部に着脱自在に被着される透光性カバーとからなる本体と、前記隠蔽用ボディ内に配設された固定部と、前記透光性カバー側にレンズ部が臨むように撮像カメラ部を保持するとともに、該撮像カメラ部の撮像方向を変位可能なように前記固定部に連結される可動部とを備えた画像装置において、前記可動部には前記撮像カメラ部の撮像方向の角度を調整するための角度表示部を設けるとともに、前記固定部に角度表示部を合わせる基準となる基準部を設け、前記角度表示部と前記基準部とを設けた位置を透光性カバー側に臨む位置としたことを特徴とする。
【０００７】
請求項１によれば、可動部に設けた角度表示部を固定部に設けた基準部に合わせるだけで簡単に撮像カメラ部の撮像方向を調整することができ、その上複雑な機構部を必要としないため構造が簡単で、小型化も可能となり、特に画像装置を正確な角度調整の要るセンサとして使用する場合に重要な作用効果がある。
【０００８】
請求項２の発明では、請求項１の発明において、前記基準部は、前記可動部の背面に位置して前記固定部の一部を為す保護カバーの端縁からなることを特徴とする。
【０００９】
請求項２の発明によれば、可動部の背面部の保護のための保護カバーを基準部として兼用できるため、専用の基準部を設ける必要がない。
【００１０】
請求項３の発明では、請求項１又は２の発明において、前記可動部は、手動によって変位可能で且つ変位位置を維持するように前記固定部に連結されるとともに、手動操作用の把持部を設けていることを特徴とする。
【００１１】
請求項３の発明によれば、可動部の把持部を手で把持して可動部を動かすだけで角度調整ができ、しかも変位位置が維持できるため、振動など調整位置が変化してしまう等も防げ、確実な調整ができ、しかも手動操作のために透光性カバーを外すだけでよい。
【００１２】
請求項４の発明の発明では、請求項３の発明において、前記撮像カメラ部のレンズ部を臨ませる可動部の部位の左右両側壁部により前記把持部を構成し、前記両側壁部の外面に滑り止めのローレット部を形成していることを特徴とする。
【００１３】
請求項４の発明によれば、可動部を手で操作する際に把持部が持ち易く、操作性が高い。
【００１４】
請求項５の発明では、請求項１乃至４の何れかの発明において、前記角度表示部は、前記撮像カメラ部の俯角に対応し且つ設置現場の床面から天井までの高さを示す目盛りから成ることを特徴とする。
【００１５】
請求項５の発明によれば、設置場所の天井高さに適した撮像カメラ部の俯角に簡単に調整することができる。
【発明の効果】
【００１６】
本発明は、可動部に設けた角度表示部を固定部に設けた基準部に合わせるだけで簡単に撮像カメラ部の撮像方向を調整することができ、その上複雑な機構部を必要としないため構造が簡単で、小型化も可能となるという効果がある。
【発明を実施するための最良の形態】
【００１７】
以下本発明を図１〜図１０に示す一実施形態により説明する。
【００１８】
本実施形態の画像装置は図１，図２に示すように予め天井側に取り付けられた取り付け用ベース１を介して天井に取り付けられる本体２で構成される。
【００１９】
本体２は外形が円錐台状で両端が貫通した筒状の非透光性の合成樹脂成形品からなる隠蔽用のボディ２８と、このボディ２８の上側開口に被着される合成樹脂成形品からなる天井カバー２９（図４、図５参照）と、下側開口に被着するドーム状の近赤外光を透過させる合成樹脂成形品からなるカバー（以下透孔性カバーという）３と、ボディ２８内に組み込むカメラブロックＡ等で構成される。
【００２０】
ボディ２８は図３に示すように下端開口内縁に内向きのフランジ２８ａを一体突設し、このフランジ２８ａに周方向において等間隔に設けた３つの円弧状孔２８ｂに、カバ−３の上端縁に等間隔に上向きに突出形成した３つの逆Ｌ字状の係止突片３０を下方から挿入して透光性カバー３を所定方向に回転させることで、フランジ２８ａを係止突片３０の横片３０ａと透光性カバー３の上端縁との間に圧入挟持させ、透光性カバー３を着脱自在に固定するようなっている。
【００２１】
またボディ２８の内周壁に沿って上下方向に形成した天井カバー固定用の支持柱３１を周方向に所定間隔形成するとともに、天井カバー２９の下面周辺部を載置するリブ（図示せず）を内周壁に沿うように形成している。
【００２２】
天井カバー２９は、ボディ２の上面開口からボディ２内に嵌め、支持柱３１の上端面及びリブ（図示せず）の上端面に下面部を載せ、この状態で支持柱３１の位置に対応した挿通孔（図示せず）を介してタッピングねじ（図示せず）を支持柱３１の上端面に開口した取り付け孔（図示せず）に螺入締結することでボディ２の上面開口に固定されるもので、上面部には取り付け用ベース１の下面部に形成した被係合部（図示せず）に係合して取り付け用ベース１に着脱自在に装着するための係止爪６などからなる係合部を備えている。
【００２３】
また天井カバー２９の上面部には前記係合部外に、取り付け用ベース１の下面部側に配設されたコネクタ２７に対して脱着自在に結合されるコネクタ（図示せず）や各種設定のディップスイッチ部（図示せず）の操作部を露出させている。
【００２４】
一方天井カバー２９の下面部には、上述のコネクタや設定用ディップスイッチ部等を実装した基板（図示せず）や画像処理等の信号処理回路の電子部品を実装した基板（図示せず）を配設する配設部を設け、また後述するカメラブロックＡを回動自在に軸支するための支持脚体５７、更にカメラブロックＡの後部（後述する可動カバー４６の背面側）を被蔽して保護する保護カバー４５を配設する部位を備え、保護カバー４５とともにカメラブロックＡの固定部を構成している。
【００２５】
カメラブロックＡは、合成樹脂成形品からなる可動カバー４６に近赤外光発光用のダイオード群ＬＥＤを実装した３枚の実装基板や、撮像カメラ部１０１を実装している基板を一体的に保持させてブロック化したものである。
【００２６】
可動カバー４６は後部が開口した浅い合成樹脂成型品の函状体からなり、中央部を前方へ膨出させるとともに、この中央膨出部４６ａの両側部の前面部を中央位置から後方に後退する形で傾斜させている。そして中央膨出部４６ａの上側面部には発光ダイオード群ＬＥＤを内部より臨ませる開口窓４６ｂを開口し、この開口窓４６ｂに対してやや斜め下方に向いた下側面部には撮像カメラ部１０１のレンズ部５１を内部より臨ませる窓孔４６ｃを開口し、中央膨出部４６ａの両側の前面部には左右に配置する発光ダイオード群ＬＥＤを内部より臨ませる開口窓４６ｂ’、４６ｂ’を開口している。
【００２７】
ところで可動カバー４６は、レンズ部５１を臨ませる窓孔４６ｃを開口している面を囲む周部を、窓孔４６ｃを開口した面より高く形成し、周囲の発光ダイオードＬＥＤからの近赤外光がレンズ部５１に直接照射されるのを防ぐ隔壁５２としている。
【００２８】
更に撮像カメラ部１０１のレンズ部５１を臨ませる窓孔４６ｃの両側に位置する前記隔壁５２を含めた中央膨出部４６ａの両側面には滑り止めのローレット部５５を形成しており、このローレット部５５の形成部位により後述するカメラブロックＡを回動させる際に手で掴む把持部を構成している。
【００２９】
而して上述のように構成されたカメラブロックＡの天井カバー２９への取り付けは次のように行う。つまり可動カバー４６を天井カバー２９の下面部中央の両側から下向きに一体突出させた支持脚体５７，５７間に嵌め、可動カバー４６の両側面に突出している軸体５６，５６を支持脚体５７に設けている軸孔５８，５８に内側から回動自在に挿着することで、天井カバー２９に取り付けるのである。
【００３０】
ここで軸体５６は軸方向に孔が設けられるとともにこの孔５６ａを囲む環状周壁に直径方向に割溝５６ｂを形成したものであって、前記軸孔５８に挿通した状態で孔５６ａの先端から図６に示すようにねじ７１を螺入して周壁外面を拡げることで軸孔５８の内周面に圧接させ、この圧接によって得られる摩擦力により可動カバー４６の回動位置（調整位置）を固定し振動などによって不用意に位置が変位するのを防止するようになっている。
【００３１】
また支持脚体５７の下端面は回転中心と同心の円弧状面を底面とする切欠５７ａを設けるとともに、この切欠５７ａに対応する可動カバー４６の両側面には、可動カバー４６の回動に伴って切欠５７ａ内を移動し、切欠５７ａの両端部に当たることで、可動カバー４６の回動範囲を規制する突起５９を突設している。
【００３２】
保護カバー４５は、前方と上面とが開口した凹所４５ａを正面側に設け、背部の上端外側には両側間に亘るように略円弧状のフランジ４５ｂを一体に設けたもので、フランジ４５ｂの上面を前記支持脚体５７の位置より後側となる天井カバー２９の下面部に設けているリブや突台２９ａの下端に当接させて天井カバー２９の上面側から螺入されるタッピングねじ（図示せず）により天井カバー２９の下面部に固定され、前部凹所４５ａ内に可動カバー４６の後部を回動自在に収納する。
【００３３】
ここで可動カバー４６の片側の下面部には、保護カバー４５の前端開口縁を図１（ｂ）に示すように基準線Ｘとしこの基準線Ｘが重なることで、そのときの可動カバー４６の回動角度、つまり撮像カメラ部１０１の俯角を示す角度表示部たる目盛り６８を、複数の回動角度に対応付けて印刷したシール６７を貼り付けてある。勿論シート６７の代わりに銘板を用いても良く、また目盛り６８を可動カバー４の表面に直接刻印しても良い。ここで目盛り６８は画像装置としての検知（撮像）エリアが適正となる床面から天井取り付け面までの高さ寸法によって回動角度を読み替えた表記が為されている。
【００３４】
天井カバー２９の下面部の正面側周辺部には、ボディ２８の開口部２８ｃに嵌められた熱線透過カバー６４を介して入射する熱線を反射して焦電素子（図示せず）に集光する反射鏡６５や焦電素子を実装した基板６６等からなる人体検知ブロックＢが配設されている。この人体検知ブロックＢは画像装置の画像センサ機能と併用される。
更に天井カバー２９の下面部の片側周辺部には検知エリアの音を集音するためのマイク６９を基板７０に実装したマイクブロックｃ（図示せず）を配設している。
【００３５】
以上のように下面部にカメラブロックＡ、人体検知ブロックＢ、マイクブロックＣ及び保護カバー４５を組み付けた天井カバ−２９をボディ２８の上面開口部を塞ぐようにボディ２８に取り付け、更にボディ２８の下面開口部に透光性カバー３を被着することで本体２が構成されることになる。
【００３６】
このように構成された本体２と上述の取り付け用ベース１とを用いて所定の天井に取り付ける場合には、先に取り付け用ベース１を取り付けねじにより天井裏のボックス或いは直接天井に固定し、この固定された取り付け用ベース１の下面側の被係合部に本体２の係合部を係合させることで行う。
【００３７】
ところで設置場所の天井面までの高さに応じて撮像カメラ部１０１の俯角を調整するこことで最適な撮像エリアの設定するために、本実施形態では、透光性カバー３を図１（ａ）に示すように外し、可動カバー４６の把持部を手で持ってカメラブロックＡを回動させることで俯角の調整ができるようになっているが、この調整の際、図１（ｂ）に示すように可動カバー３の下面側部に貼り付けたシール６７に印刷している目盛り６８を保護カバー４５の前端開口縁による基準線Ｘに合わせることで、管体に設置場所の天井高さに適した正な俯角に設定できることになり、センサ装置として使用する場合に大変有効である。
【図面の簡単な説明】
【００３８】
【図１】（ａ）は一実施形態の透光性カバーを外した状態の側面図、（ｂ）は一実施形態の要部拡大側面図である。
【図２】一実施形態の分解斜視図である。
【図３】一実施形態の透光性カバーを除いた本体の分解斜視図である。
【図４】一実施形態のカメラブロックの分解斜視図である。
【図５】一実施形態の透孔性カバーを除いた本体の分解斜視図である。
【図６】一実施形態のカメラブロックの側面図である。、
【図７】一実施形態のボディを透視した斜視図である。
【符号の説明】
【００３９】
３  透光性カバー
４５  保護カバー
４６  可動カバー
６７  シール
６８  目盛り
Ａ  カメラブロック
Ｘ  基準線
【図１】
2006050452.tif 000003
【図２】
2006050452.tif 000004
【図３】
2006050452.tif 000005
【図４】
2006050452.tif 000006
【図５】
2006050452.tif 000007
【図６】
2006050452.tif 000008
【図７】
2006050452.tif 000009